(57)【要約】【課題】電車の種類、編成両数及び乗降口数などの理由により乗降口位置が変わることに対応するとともに、可能な限り簡易構造を採用することで設置に要する初期費用を低く抑える事ができるプラットホームの転落防止設備を提供すること等を課題とする。【解決手段】プラットホームＰに備える梁Ｏに固定設置されたドアパネル支持部１０と、前記ドアパネル支持部の底面板１０２に載置することにより支持されるドアパネル２０１と、前記ドアパネルを直接プラットホームの短手方向にスライド移動させるドアパネルスライド移動機構３０と、前記プラットホームの短手方向にスライド移動させた遮蔽体をプラットホームの長手方向にスライド移動させるトロッコスライド移動機構４０などを少なくとも備えるプラットホームの転落防止設備を提供する。【選択図】図１
2013220695.tif 000002
【特許請求の範囲】
【請求項１】
電車が発着又は通過するプラットホームであって、
当該既存プラットホームに備える又は新たに建立する頑強な構造物に固定設置される遮蔽体支持体（１０）と、
前記遮蔽体支持体の底面部である底面板に載置することにより支持される遮蔽体と、
前記遮蔽体を直接プラットホームの短手方向にスライド移動させる遮蔽体短手方向移動機構（３０）と、
前記遮蔽体を間接的にプラットホームの長手方向にスライド移動させる遮蔽体長手方向移動機構（４０）と、
を少なくとも備え、
当該プラットホームからの垂直方向高さ位置について、前記遮蔽体支持体の底面部と前記遮蔽体長手方向移動機構を構成する遮蔽体載置台車の底面部とが同一であり、
前記遮蔽体支持体と前記遮蔽体載置台車との間を前記遮蔽体が円滑にスライド移動する
プラットホームの転落防止設備。
【請求項２】
前記遮蔽体の形状が正面視Ｔ字形状である請求項１記載の転落防止設備。
【請求項３】
前記遮蔽体短手方向移動機構（３０）が、少なくとも遮蔽体滑動部と、遮蔽体内装棒体と、遮蔽体誘導体とで構成される請求項１又は請求項２記載の転落防止設備。
【請求項４】
前記遮蔽体長手方向移動機構（４０）が、少なくとも底面部及び正面部を有する遮蔽体載置台車と、当該遮蔽体載置台車を円滑に移動させる遮蔽体載置台車移動補助設備とで構成される請求項１から請求項３記載の転落防止設備。
【請求項５】
電車の発着又は通過によって生じる風の影響によって前記遮蔽体が揺れ動くことを防止する遮蔽体揺れ動き防止機構（５０）を付加した請求項１から請求項４記載の転落防止設備。
【請求項６】
前記遮蔽体揺れ動き防止機構（５０）が、前記遮蔽体の垂直部に沿って備える４枚の有孔板状体である請求項５記載の転落防止設備。
【請求項７】
電車が発着又は通過する既存プラットホームに備える又は新たに建立する頑強な構造物に固定設置された遮蔽体支持体と、前記遮蔽体支持部の底面部である底面板に載置することにより支持される遮蔽体と、前記遮蔽体を直接プラットホームの短手方向にスライド移動させる遮蔽体短手方向移動機構と、前記遮蔽体を間接的にプラットホームの長手方向にスライド移動させる遮蔽体長手方向移動機構とを少なくとも備え、当該プラットホームからの垂直方向高さ位置について、前記遮蔽体支持体の底面部と前記遮蔽体長手方向移動機構を構成する遮蔽体載置台車の底面部とが同一であり、前記遮蔽体支持体と前記遮蔽体長手方向移動機構を構成する遮蔽体載置台車との間を前記遮蔽体がスライド移動するプラットホームの転落防止設備において、
当該プラットホームに到着する電車の乗降口であるドア位置及び大きさに応じて前記遮蔽体を選択する工程と、
当該選択された遮蔽体を遮蔽体短手方向移動機構により直接的にプラットホームの短手方向にスライド移動させ前記遮蔽体載置台車に載置収納する工程と、
当該遮蔽体載置台車に載置収納した遮蔽体を前記遮蔽体長手方向移動機構により間接的にプラットホームの長手方向にスライド移動させる工程と、
により、プラットホームに待機する乗客が線路内に転落することを防止する方法。
【発明の詳細な説明】
【技術分野】
【０００１】
本願発明は、電車のプラットホームで待機する乗客が線路内に転落することを防止する設備及び方法に関するものである。
【背景技術】
【０００２】
従来より、電車のプラットホームで待機する乗客が線路内に転落することを防止する設備及び方法の普及が求められているが、種々の問題点により普及が進んでいない。
【０００３】
電車のプラットホームに設置する転落防止設備の普及を妨げる原因のひとつとして、電車の種類、編成両数及び乗降口数などの理由により乗降口位置が変わることに対応することが困難なことがあげられる。また、設置に要する初期費用が高いこともあげられる。
【０００４】
乗降口位置が変わることに対応することができるプラットホーム用開閉装置も存在はする（特許文献１）。
【先行技術文献】
【特許文献】
【０００５】
【特許文献１】特開平１１−２９１８９７号公報
【発明の概要】
【発明が解決しようとする課題】
【０００６】
上述した特許文献１は、乗降口位置が変わることに対応することができるプラットホーム用開閉装置を提供している。しかしながら、電車のプラットホームに設置する転落防止設備の普及を妨げる原因はまだまだ山積しており、更なる改良の余地があるものと考える。
【０００７】
そこで、本願発明では、電車の種類、編成両数及び乗降口数などの理由により乗降口位置が変わることに対応するとともに、可能な限り簡易構造を採用することで設置に要する初期費用を低く抑える事ができるプラットホームの転落防止設備及び方法を提供することを課題とする。
【０００８】
また、本願発明では、電車のプラットホーム環境で電車が発着又は通過するときに生じる特有の風に対する考慮を付加した、優れた転落防止設備を提供することを課題とする。
【課題を解決するための手段】
【０００９】
上述の課題を解決するために、本願発明の転落防止設備は、電車が発着又は通過するプラットホームであって、当該既存プラットホームに備える又は新たに建立する頑強な構造物に固定設置された遮蔽体支持体と、前記遮蔽体支持体の底面部である底面板に載置することにより支持される遮蔽体と、前記遮蔽体を直接プラットホームの短手方向にスライド移動させる遮蔽体短手方向移動機構と、前記遮蔽体を間接的にプラットホームの長手方向にスライド移動させる遮蔽体長手方向移動機構と、を少なくとも備え、当該プラットホームからの垂直方向高さ位置について、前記遮蔽体支持体の底面部と前記遮蔽体長手方向移動機構を構成する遮蔽体載置台車の底面部とが同一であり、前記遮蔽体支持体と前記遮蔽体長手方向移動機構を構成する遮蔽体載置台車との間を前記遮蔽体がスライド移動するプラットホームの転落防止設備を提供する。
【００１０】
また、上述の課題を解決するために、本願発明の転落防止設備は、電車が発着又は通過するプラットホームであって、当該既存プラットホームに備える又は新たに建立する頑強な構造物に固定設置された遮蔽体支持体と、前記遮蔽体支持体の底面部である底面板に載置することにより支持される遮蔽体（例えば、正面視Ｔ字形状）と、前記遮蔽体を直接プラットホームの短手方向にスライド移動させる遮蔽体短手方向移動機構と、前記遮蔽体を間接的にプラットホームの長手方向にスライド移動させる遮蔽体長手方向移動機構と、を少なくとも備え、当該プラットホームからの垂直方向高さ位置について、前記遮蔽体支持体の底面部と前記遮蔽体長手方向移動機構を構成する遮蔽体載置台車の底面部とが同一であり、さらに、前記遮蔽体短手方向移動機構が、遮蔽体滑動部と、遮蔽体内装棒体と、遮蔽体誘導体とで構成され、前記遮蔽体支持体と前記遮蔽体長手方向移動機構を構成する遮蔽体載置台車との間を前記遮蔽体がスライド移動するプラットホームの転落防止設備を提供する。
【００１１】
また、上述の課題を解決するために、本願発明の転落防止設備は、電車が発着又は通過するプラットホームであって、当該既存プラットホームに備える又は新たに建立する頑強な構造物に固定設置された遮蔽体支持体と、前記遮蔽体支持体の底面部である底面板に載置することにより支持される遮蔽体（例えば、正面視Ｔ字形状）と、前記遮蔽体を直接プラットホームの短手方向にスライド移動させる遮蔽体短手方向移動機構と、前記遮蔽体を間接的にプラットホームの長手方向にスライド移動させる遮蔽体長手方向移動機構と、を少なくとも備え、当該プラットホームからの垂直方向高さ位置について、前記遮蔽体支持体の底面部と前記遮蔽体長手方向移動機構を構成する遮蔽体載置台車の底面部とが同一であり、さらに、前記遮蔽体長手方向移動機構が、垂直仕切り板と底面板と側面板と上面板と正面板と水平仕切り板とで構成する遮蔽体載置台車と、当該遮蔽体載置台車を円滑に移動させる遮蔽体載置台車移動補助設備とで構成され、前記遮蔽体支持体と前記遮蔽体長手方向移動機構を構成する遮蔽体載置台車との間を前記遮蔽体がスライド移動するプラットホームの転落防止設備を提供する。
【００１２】
また、上述の課題を解決するために、本願発明の転落防止設備は、電車が発着又は通過するプラットホームであって、当該既存プラットホームに備える又は新たに建立する頑強な構造物に固定設置された遮蔽体支持体と、前記遮蔽体支持体の底面部である底面板に載置することにより支持される遮蔽体（例えば、正面視Ｔ字形状）と、前記遮蔽体を直接プラットホームの短手方向にスライド移動させる遮蔽体短手方向移動機構と、前記遮蔽体を間接的にプラットホームの長手方向にスライド移動させる遮蔽体長手方向移動機構と、を少なくとも備え、当該プラットホームからの垂直方向高さ位置について、前記遮蔽体支持体の底面部と前記遮蔽体長手方向移動機構を構成する遮蔽体載置台車の底面部とが同一であり、さらに、電車の発着又は通過によって生じる特有の風の影響によって前記遮蔽体が揺れ動くことを防止する遮蔽体揺れ動き防止機構を付加した、前記遮蔽体支持体と前記遮蔽体長手方向移動機構を構成する遮蔽体載置台車との間を前記遮蔽体がスライド移動するプラットホームの転落防止設備を提供する。
【００１３】
また、上述の課題を解決するために、本願発明の転落防止設備は、電車が発着又は通過するプラットホームであって、当該既存プラットホームに備える又は新たに建立する頑強な構造物に固定設置された遮蔽体支持体と、前記遮蔽体支持体の底面部である底面板に載置することにより支持される遮蔽体（例えば、正面視Ｔ字形状）と、前記遮蔽体を直接プラットホームの短手方向にスライド移動させる遮蔽体短手方向移動機構と、前記遮蔽体を間接的にプラットホームの長手方向にスライド移動させる遮蔽体長手方向移動機構と、を少なくとも備え、当該プラットホームからの垂直方向高さ位置について、前記遮蔽体支持体の底面部と前記遮蔽体長手方向移動機構を構成する遮蔽体載置台車の底面部とが同一であり、さらに、前記遮蔽体揺れ動き防止機構に、少なくとも前記遮蔽体の垂直部に沿って備える４枚の有孔板状体を備え、前記遮蔽体支持体と前記遮蔽体長手方向移動機構を構成する遮蔽体載置台車との間を前記遮蔽体がスライド移動するプラットホームの転落防止設備を提供する。
【００１４】
また、上述の課題を解決するために、本願発明の転落防止方法は、電車が発着又は通過する既存プラットホームに備える又は新たに建立する頑強な構造物に固定設置された遮蔽体支持体と、前記遮蔽体支持部の底面部である底面板に載置することにより支持される遮蔽体と、前記遮蔽体を直接プラットホームの短手方向にスライド移動させる遮蔽体短手方向移動機構と、前記遮蔽体を間接的にプラットホームの長手方向にスライド移動させる遮蔽体長手方向移動機構とを少なくとも備え、当該プラットホームからの垂直方向高さ位置について、前記遮蔽体支持体の底面部と前記遮蔽体長手方向移動機構を構成する遮蔽体載置台車の底面部とが同一であり、前記遮蔽体支持体と前記遮蔽体長手方向移動機構を構成する遮蔽体載置台車との間を前記遮蔽体がスライド移動するプラットホームの転落防止設備において、当該プラットホームに到着する電車の乗降口であるドア位置及び大きさに応じて前記遮蔽体を選択する工程と、当該選択された遮蔽体を遮蔽体短手方向移動機構により直接的にプラットホームの短手方向にスライド移動させ前記遮蔽体載置台車に載置収納する工程と、当該遮蔽体載置台車に載置収納した遮蔽体を前記遮蔽体長手方向移動機構により間接的にプラットホームの長手方向にスライド移動させる工程と、により、プラットホームに待機する乗客が線路内に転落することを防止する方法を提供する。
【発明の効果】
【００１５】
本願発明の転落防止設備は、遮蔽体を自由に選択し組合せ、さらに選択した遮蔽体を指定の方向へ指定距離だけ移動させることが可能であるので、電車の種類、編成両数及び乗降口数などの様々な理由により乗降口位置が変わることに対し柔軟に対応することができる。
【００１６】
また、本願発明の転落防止設備は、可能な限り簡易構造としたことで、設置に要する初期費用を低く抑える事ができる。
【００１７】
また、本願発明の転落防止設備は、遮蔽体揺れ動き防止機構の付加により、遮蔽体の揺れ動きを防止することができる。
【００１８】
また、本願発明の転落防止設備は、遮蔽体相互間に設けた隙間及び有孔風切り板により、電車の発着又は通過のときに生じる特有の風に対応することができる。
【図面の簡単な説明】
【００１９】
【図１】図１は、実施例１の転落防止設備の構造全体の概要を示す図である。
【図２】図２は、実施例１の転落防止設備の一部について底面から見た図である。
【図３】図３は、実施例１の転落防止設備の一部であるドアパネルを拡大した図である。
【図４】図４は、実施例１の転落防止設備の動作（電車到達前）を示す図である。
【図５】図５は、実施例１の転落防止設備の動作（電車到達直前）を示すイメージ図である。
【図６】図６は、実施例１の転落防止設備の動作（電車到達直前）を示す側面図である。
【図７】図７は、実施例１の転落防止設備の動作（電車到達直前スライド移動）を示すイメージ図である。
【図８】図８は、実施例１の転落防止設備の動作（電車到達直前スライド移動）を示す側面図である。
【図９】図９は、実施例１の転落防止設備の動作（電車到達後の乗降時）を示す図である。
【図１０】図１０は、実施例２の転落防止設備の構造全体の概要を示す図である。
【図１１】図１１は、実施例２の転落防止装置の一部であるドアパネルを拡大した図である。
【発明を実施するための形態】
【００２０】
本願発明に係る転落防止設備及び方法を在来線が発着又は通過する電車のプラットホームに設置して使用する。
【実施例１】
【００２１】
実施例１の転落防止設備の構成を図１から図３に従い説明する。
【００２２】
転落防止設備（１）は、２枚の側面板（１０１）と、前記側面板の各々と接合した２枚の底面板（１０２）と、前記側面板の各々と接合した１枚の上面板（１０３）とで構成し、プラットホーム（Ｐ）に備える頑強な構造物である梁（Ｏ）に固定設置したドアパネル支持体（１０）と、前記ドアパネル支持体の底面部である底面板に載置することにより強固に支持される正面視Ｔ字形状のドアパネル（２０１）と、前記ドアパネルをプラットホームの短手方向にスライド移動させるドアパネルスライド移動機構（３０）と、前記ドアパネル支持体よりも線路側（Ｑ）に位置し、前記ドアパネル載置収納するトロッコ（４０３）及び前記トロッコをプラットホームの長手方向にスライド移動させるトロッコ移動補助設備で構成するトロッコスライド移動機構（４０）と、制御機構（図示せず）とで構成する。
【００２３】
前記ドアパネル（２０１）は、プラットホーム（Ｐ）の長手方向に沿って複数本配置される。特定のドアパネルを説明する場合以外は、便宜上ドアパネル群（２０）として説明をする場合がある。
【００２４】
なお、遮蔽体支持体である前記ドアパネル支持体（１０）は、既存プラットホーム（Ｐ）に備える頑強な構造物である前記梁（Ｏ）に固定設置しているが、前記ドアパネル群（２０）を安全に支持できれば良く、既存プラットホーム（Ｐ）に備える頑強なその他の構造物である柱（Ｍ）や屋根（図示せず）などに固定設置又はプラットホーム上に新たな支柱を建立して当該支柱に固定設置しても良い。
【００２５】
遮蔽体である前記ドアパネル（２０１）の形状は、前記ドアパネル支持体（１０）の底面部である底面板（１０２）に載置することにより当該ドアパネル（２０１）が強固に支持される形状が好ましい。
【００２６】
例えば、前記ドアパネル（２０１）の上部位置水平構成部分の底面部（以下、「両脇部」という。）で前記ドアパネル支持体の底面部である底面板（１０２）と強固に支持される正面視Ｔ字形状などの形状である。
【００２７】
前記ドアパネル支持体（１０）の底面部である底面板（１０２）に載置することにより当該ドアパネル（２０１）が強固に支持されるとは、前記ドアパネル支持体（１０）の底面板（１０２）に当該ドアパネル（２０１）を載置した際に、プラットホームの短手方向に円滑にスライド移動できる状態を保ちつつ安全にバランス良く支持される状態を指す。
【００２８】
遮蔽体短手方向移動機構であるドアパネルスライド移動機構（３０）は、前記ドアパネル（２０１）のプラットホームからの垂直方向高さ位置を変化させることなく、前記ドアパネル（２０１）をプラットホーム側（Ｐ）から線路側（Ｑ）又は線路側（Ｑ）からプラットホーム側（Ｐ）に円滑にスライド移動させるための機構である。
【００２９】
前記ドアパネルスライド移動機構（３０）は、前記ドアパネル（２０１）の両脇部に備える２個のドアパネルスライド車輪（３０１）と、最上端に金属部を備え前記ドアパネルの内部中心部を貫通設置するドアパネル内装棒（３０２）と、前記ドアパネル内装棒と対応する位置に電磁石を埋め込み前記トロッコ（４０３）の内部に備えるドアパネルスライド板（３０３）と、前記ドアパネルスライド板を駆動する駆動源である駆動モータ（４０４）との組合せで構成する。
【００３０】
遮蔽体滑動部である前記ドアパネルスライド車輪（３０１）の位置及び個数は、前記ドアパネル（２０１）の両脇部に各１個ずつ合計で２個備えているが、前記ドアパネル（２０１）をプラットホーム側（Ｐ）から線路側（Ｑ）又は線路側（Ｑ）からプラットホーム側（Ｐ）に円滑にスライド移動させることができれば良く、周知な他の滑動手段（例えば、移動自在球体など）にも設計変更でき、個数についても設計変更し得る。
【００３１】
遮蔽体内装棒体である前記ドアパネル内装棒（３０２）の形状及び備える位置は、円筒形状垂直棒を前記ドアパネルの内部中心部を貫通して設置しているが、前記ドアパネル内装棒の下降時に最下部がプラットホームに接地し、上昇時にプラットホームから離れ、かつ、前記ドアパネル内装棒（３０２）がプラットホーム側（Ｐ）から線路側（Ｑ）又は線路側（Ｑ）からプラットホーム側（Ｐ）に移動するときに前記ドアパネル（２０１）も従動的に移動できれば良い。例えば、プラットホームとの接地部分である下部付近を線路側（Ｑ）に折り曲げた形状にしても良い。これにより、プラットホームに待機する乗客の足や荷物などの挟み込みを防止する効果が追加される。
【００３２】
遮蔽体誘導体である前記ドアパネルスライド板（３０３）を備える場所は、前記トロッコ（４０３）の内部の前記ドアパネル（２０１）の最上端位置よりも上部位置である。
【００３３】
前記ドアパネル内装棒（３０２）と前記ドアパネルスライド板（３０３）との組合せについて、前記ドアパネル内装棒と対応する位置に電磁石を埋め込んだ前記ドアパネルスライド板（３０３）と、最上端を金属部にした前記ドアパネル内装棒（３０２）との組合せにしているが、制御機構（図示せず）の指示により、前記ドアパネルスライド板（３０３）が前記ドアパネル内装棒（３０２）の最上端を吸着と分離を切り替える事及び前記ドアパネルスライド板（３０３）が前記ドアパネル内装棒（３０２）の最上端を吸着しさらに吸着を維持したまま当該ドアパネル内装棒（３０２）とともに当該ドアパネル（２０１）をプラットホーム側（Ｐ）から線路側（Ｑ）又は線路側（Ｑ）からプラットホーム側（Ｐ）に円滑にスライド移動させることができれば良く、周知な他の異なる組合せにも設計変更し得る。
【００３４】
例えば、電磁力に変えて吸引力を利用する構成や電磁力を利用する場合であってもトロッコスライド移動機構（４０）側からドアパネル支持体（１０）側に向かってドアパネルスライド板が伸縮する構成などであっても良い。
【００３５】
なお、前記ドアパネルスライド板（３０３）を駆動する駆動源について、前記トロッコ（４０３）を駆動する駆動源である駆動モータ（４０４）を兼用で使用しているが、前記ドアパネルスライド板（３０３）をプラットホーム側（Ｐ）から線路側（Ｑ）又は線路側（Ｑ）からプラットホーム側（Ｐ）にスライド駆動できれば良く、独立した駆動モータを使用することも可能である。
【００３６】
前記トロッコスライド移動機構（４０）は、前記ドアパネル（２０１）を前記トロッコ（４０３）に載置収納し、当該トロッコ（４０３）をプラットホームの長手方向に円滑にスライド移動する機構であり、当該トロッコ（４０３）と繋いだ前記トロッコ移動車輪（４０５）を移動することにより、当該ドアパネル（２０１）を間接的にプラットホームの長手方向に円滑にスライド移動させている。
【００３７】
前記トロッコスライド移動機構を構成するトロッコ移動補助設備は、既存プラットホーム（Ｐ）に備える頑強な構造物である前記柱（Ｍ）に固定設置した２本のトロッコ支持体（４０１）と、前記各々のトロッコ支持体の上部に１本ずつ敷設したトロッコレール（４０２）と、前記トロッコレール上に載置し当該トロッコレールに沿って円滑にスライド移動するトロッコ移動車輪（４０５）と、前記２本のトロッコ支持体（４０１）の間に位置し前記トロッコ移動車輪と前記トロッコとを繋ぐトロッコ結合体（４０６）と、駆動源である駆動モータ（４０４）との組合せで構成する。
【００３８】
前記トロッコ支持体（４０１）は、既存プラットホーム（Ｐ）に備える頑強な構造物である前記柱（Ｍ）に固定設置しているが、前記トロッコ（４０３）を安全に支持できれば良く、既存プラットホーム（Ｐ）に備える頑強なその他の構造物である梁（Ｏ）や屋根（図示せず）などに固定設置又はプラットホーム上に新たな支柱を建立して当該支柱に固定設置しても良い。
【００３９】
なお、前記トロッコレール（４０２）の形状及び本数について、前記各々のトロッコ支持体（４０１）の上部に凸状部を１本ずつ敷設しているが、前記トロッコ（４０３）をプラットホーム（P）に沿って円滑にスライド移動できれば良く、周知な他の異なる形状（例えば、凹状部）及び本数に設計変更可能である。
【００４０】
なお、前記トロッコレール（４０２）を備える場所について、前記トロッコレール支持体（４０１）の上部に固定設置し、前記トロッコ移動車輪（４０５）をさらにその上部に載置することによりスライド移動を可能にしているが、周知な他の異なる場所に備えることも可能である。例えば、前記トロッコ（４０３）よりも線路側（Ｑ）にトロッコレール支持体（４０１）を設置した場合においては、当該トロッコレール支持体のプラットホーム側（Ｐ）にトロッコレール（４０２）を敷設し、当該トロッコ（４０３）の正面板（４０３５）に当該トロッコレール（４０２）と対応した滑動体（車輪など）を装備することによりスライド移動を可能にできる。
【００４１】
前記トロッコ移動車輪（４０５）の形状及び個数は、長方形の板状体の四隅底端部近傍位置に前記トロッコレール（４０２）に対応する凹状車輪を４本備えているが、前記トロッコ（４０３）をプラットホーム（P）に沿って円滑にスライド移動できれば良く、周知な他の形状（例えば、凸状車輪）及び本数（例えば、２本など）に設計変更可能である。
【００４２】
遮蔽体載置台車である前記トロッコ（４０３）と遮蔽体載置台車移動機構を構成するトロッコ移動車輪（４０５）及び前記トロッコ結合体（４０６）との組合せについて、前記トロッコ（４０３）をプラットホームに沿って円滑にスライド移動させることができれば良く、周知な他の異なる組合せを採用することも可能である。
【００４３】
前記トロッコ（４０３）は、１枚の垂直仕切り板（４０３１）と、２枚の側面板（４０３２）と、４枚の底面板（４０３３）と、１枚の上面板（４０３４）と、１枚の正面板（４０３５）と、４枚の水平仕切り板（４０３６）と、で構成する（図１）。
【００４４】
前記トロッコ（４０３）の大きさ及び形状は、前記ドアパネル（２０１）を２本並べて載置収納できる大きさ及び形状であるが、電車の乗降口である扉幅又はドアパネルの幅に応じて、１本又は３本以上を並べて載置収納できる大きさ及び形状に設計変更することも可能である。
【００４５】
なお、前記トロッコ（４０３）の台数は、プラットホームの長手方向距離や前記ドアパネル（２０１）の本数、前記ドアパネルの幅などを考慮して決定する。
【００４６】
前記トロッコの４枚の底面板（４０３３）のプラットホームからの垂直方向高さ位置について、前記ドアパネル支持体（１０）と前記トロッコ（４０３）との間をドアパネルが（２０１）が円滑にスライド移動させるために、前記ドアパネル支持体の底面部である底面板（１０２）と同一の高さとしている。
【００４７】
前記ドアパネル支持体（１０）と前記トロッコ（４０３）との間をドアパネルが（２０１）が円滑にスライド移動するとは、当該ドアパネル（２０１）の両脇部に備えるドアパネルスライド車輪（３０１）が、前記ドアパネル支持体の底面部である底面板（１０２）と前記トロッコの底面部である底面板（４０３３）との間でバウンドしたり、引っ掛かったりせずに滑動することを指す。
【００４８】
次に、実施例１の転落防止設備（１）について開閉などの動作（ドアパネルがプラットホームの短手方向にスライド移動およびプラットホームの長手方向にスライド移動する動作）について、図４から図９に従い説明する。
【００４９】
電車の発着又は通過のない平常時は、プラットホームに沿って備えるドアパネル支持体（１０）にドアパネル群（２０）が強固に支持され固定されている。前記ドアパネル群（２０）の最下部は、ドアパネル内装棒（３０２）がプラットホームに接地している状態である（図４の状態）。
【００５０】
電車の到着が近付くと、プラットホーム（Ｐ）に到着する電車の乗降口である乗降ドア位置及び大きさに応じてドアパネルが選択され、制御装置（図示せず）からの指示により、駆動モータ（４０４）を稼動させ、当該選択されたドアパネルの対応位置に選択されたトロッコ（４０３）が移動するとともに、当該選択されたドアパネルに対応するドアパネルスライド板（３０３）が選択される（図５及び図６の状態）。
【００５１】
選択されたドアパネルＣ、Ｄ、Ｅ、Ｆ（２０１Ｃ、Ｄ、Ｅ、Ｆ）に対応したドアパネルスライド板（３０３）は、制御装置（図示せず）からの指示により、駆動モータ（４０４）を稼動させ、トロッコ（４０３）内（線路側（Ｑ））からプラットホーム側（Ｐ）にスライド移動し、さらに埋め込んでいる電磁石をオンにする（図５及び図６の状態）。
【００５２】
ドアパネルスライド板（３０３）がプラットホーム側（Ｐ）にスライド移動し、さらに埋め込んでいる電磁石をオンにすることにより、電磁力が生じ、最上端が金属部であるドアパネル内装棒（３０２）が当該ドアパネルスライド板（３０３）方向に向かって上昇し吸着する。
【００５３】
なお、前記ドアパネル内装棒（３０２）が上昇することにより、当該ドアパネル内装棒（３０２）の最下部がプラットホーム（Ｐ）から離れ、当該選択されたドアパネルＣ、Ｄ、Ｅ、Ｆ（２０１Ｃ、Ｄ、Ｅ、Ｆ）の円滑なスライド移動が可能となる。
【００５４】
さらに、制御装置（図示せず）からの指示により、前記駆動モータ（４０４）を稼動させ、前記ドアパネルスライド板（３０３）が、プラットホーム側（Ｐ）から前記トロッコ（４０３）内（線路側（Ｑ））にスライド移動する（図７及び図８の状態）。
【００５５】
なお、前記ドアパネルスライド板（３０３）がプラットホーム側（Ｐ）から線路側（Ｑ）にスライド移動することにより、当該ドアパネルスライド板（３０３）に付着した前記ドアパネル内装棒（３０２）とともに当該ドアパネル内装棒（３０２）を実装した前記ドアパネルＣ、Ｄ、Ｅ、Ｆ（２０１Ｃ、Ｄ、Ｅ、Ｆ）が、ドアパネルスライド車輪（３０１）に補助されながら、プラットホーム側（Ｐ）から線路側（Ｑ）に円滑にスライド移動する。
【００５６】
プラットホーム側（Ｐ）から線路側（Ｑ）にスライド移動した前記ドアパネルＣ、Ｄ（２０１Ｃ、Ｄ）は、トロッコＡ（４０３Ａ）に載置収納される。
【００５７】
同様にプラットホーム側（Ｐ）から線路側（Ｑ）にスライド移動したドアパネルＥ、Ｆ（２０１Ｅ、Ｆ）は、トロッコＢ（４０３Ｂ）に載置収納される。
【００５８】
電車が到着すると、制御装置（図示せず）からの指示により、前記駆動モータ（４０４）を稼動させ、前記トロッコＡ（４０３Ａ）と繋がったトロッコ移動車輪（４０５）が、トロッコレール（４０２）上を図示左方向に円滑に所定距離スライド移動する（図９）。
【００５９】
一方、前記トロッコＢ（４０３Ｂ）と繋がったトロッコ移動車輪（４０５）は、制御装置（図示せず）からの指示により、前記駆動モータ（４０４）を稼動させ、前記トロッコレール（４０２）上を図示右方向に円滑に所定距離スライド移動する（図９）。
【００６０】
乗客の乗降が終わると、電車の乗降口である乗降ドアの閉鎖とともに、制御装置（図示せず）からの指示により、前記駆動モータ（４０４）を稼動させ、前記トロッコＡ（４０３Ａ）は、図示右方向に所定距離を移動し、前記トロッコＢ（４０３Ｂ）は、図示左方向に所定距離を移動する。
【００６１】
さらに、制御装置（図示せず）からの指示により、前記駆動モータ（４０４）を稼動させ、前記トロッコＡ（４０３Ａ）に載置収納されたドアパネルＣ、Ｄ（２０１Ｃ、Ｄ）及び前記トロッコＢ（４０３Ｂ）に載置収納されたドアパネルＥ、Ｆ（２０１Ｅ、Ｆ）に対応する前記ドアパネルスライド板（３０３）が、前記トロッコ（４０３）内（線路側（Ｑ））からプラットホーム側（Ｐ）にスライド移動する。
【００６２】
前記ドアパネルスライド板（３０３）がスライド移動することにより、前記ドアパネルスライド板に吸着された前記ドアパネル内装棒（３０２）と共に前記ドアパネルＣ、Ｄ、Ｅ、Ｆ（２０１Ｃ、Ｄ、Ｅ、Ｆ）が、前記ドアパネルスライド車輪（３０１）に補助されながら、線路側（Ｑ）からプラットホーム側（Ｐ）に円滑にスライド移動する。
【００６３】
その後、ドアパネルＣ、Ｄ、Ｅ、Ｆ（２０１Ｃ、Ｄ、Ｅ、Ｆ）に対応したドアパネルスライド板（３０２）の電磁石をオフにすると、ドアパネル内装棒（３０２）が分離し下降する。さらにその後、前記ドアスライドパネル（３０３）は、プラットホーム側（Ｐ）から前記トロッコ（４０３）内（線路側（Ｑ））にスライド移動する（再び、図４の様な状態）。
【実施例２】
【００６４】
実施例２の転落防止設備は、電車の発着又は通過によって生じる特有の風の影響によってドアパネルが揺れ動くことを防止するドアパネル揺れ動き防止機構と、ドアパネルの施錠を行うドアパネル施錠機構とを付加装備した転落防止設備であり、その構成を図１０及び図１１に従い説明する。
【００６５】
転落防止設備（１）は、２枚の側面板（１０１）と、前記側面板の各々と接合した２枚の底面板（１０２）と、前記側面板の各々と接合した１枚の上面板（１０３）とで構成し、プラットホーム（Ｐ）に備える頑強な構造物である梁（Ｏ）に固定設置したドアパネル支持体（１０）と、前記ドアパネル支持体の底面部である底面板に載置することにより強固に支持される正面視Ｔ字形状のドアパネル（２０１）と、前記ドアパネルをプラットホームの短手方向にスライド移動させるドアパネルスライド移動機構（３０）と、柱（Ｍ）に固定設置した２本のトロッコ支持体（４０１）と、前記各々のトロッコ支持体上に１本ずつ敷設したトロッコレール（４０２）と、前記トロッコ支持体の下方に吊り下げ設置をしたトロッコ（４０３）と、前記トロッコレール上に載置したトロッコ移動車輪（４０５）と、前記２本のトロッコ支持体（４０１）の間に位置し前記トロッコ移動車輪（４０５）と前記トロッコ（４０３）とを繋ぐトロッコ結合体（４０６）と、前記トロッコ移動車輪（４０５）を駆動する駆動源である駆動モータ（４０４）とで構成したトロッコスライド移動機構（４０）と、電車の発着又は通過によって生じる特有の風の影響によって前記ドアパネル（２０１）が揺れ動くことを防止するドアパネル揺れ動き防止機構（５０）と、前記ドアパネル（２０１）の施錠を行うドアパネル施錠機構（６０）と、制御機構（図示せず）とで構成する。
【００６６】
遮蔽体揺れ動き防止機構である前記ドアパネル揺れ動き防止機構（５０）は、最上端に金属部を備え前記ドアパネルの内部中心部を貫通設置する遮蔽体内装棒体であるドアパネル内装棒（３０２）と、前記ドアパネル内装棒と対応する位置に電磁石を埋め込み前記トロッコ（４０３）の内部に備えたドアパネルスライド板（３０３）と、前記ドアパネル（２０１）の垂直部分に沿って備える４枚の風通し板（５０１）と、前記ドアパネル内装棒（３０２）の最下部と結合したゴム板（５０２）と、前記ドアパネル（２０１）の上部位置水平構成部分の上面部と底面部との間位置で水平方向に備え、中央部分を前記ドアパネル内装棒（３０２）が貫通結合した薄板体である水平押さえ板（５０３）と、前記水平押さえ板（５０３）と前記ドアパネルの上部位置水平構成部分の上面部との間位置で垂直方向に備え、中軸部分を前記ドアパネル内装棒（３０２）が挿通した弾性体であるドアパネル内装バネ（５０４）と、で構成する。
【００６７】
前記風通し板（５０１）には、だ円形の貫通孔（５０１ｈ）を複数設けているが、電車の発着又は通過のときに生じる特有の風が突き抜けることができれば良く、貫通孔の形状には限定はない。
【００６８】
遮蔽体施錠機構である前記ドアパネル施錠機構（６０）は、ドアパネル支持体の底面部である底面板（１０２）の夫々に設けた孔である２個のドアパネルロック孔（１０２ｈ）と、前記ドアパネルロック孔（１０２ｈ）の夫々と対応する位置でかつ挿通自在に設置する棒状体である２本のドアパネルロック棒（６０１）と、前記ドアパネル内装棒（３０２）と、前記ドアパネルスライド板（３０３）と、前記水平押さえ板（５０３）と、前記ドアパネル内装バネ（５０４）と、で構成する。
【００６９】
前記水平押さえ板（５０３）は、前記２本のドアパネルロック棒（６０１）の上部で結合している。
【００７０】
その他の構成については、実施例１の転落防止設備と略同様であるため省略する。
【００７１】
次に、実施例２の転落防止設備について開閉などの動作（ドアパネルがプラットホームの短手方向にスライド移動およびプラットホームの長手方向にスライド移動する動作）について、図１０及び図１１に従い実施例１と異なる部分のみについて説明する。
【００７２】
電車の発着又は通過のない平常時は、ドアパネル支持体（１０）にドアパネル群（２０）が強固に支持され固定されている。また、ドアパネル内装棒（３０２）の自重により水平押さえ板（５０３）が押さえられ、ドアパネル内装バネ（５０４）は自然伸張し、ドアパネル群（２０）の最下部に装備するゴム板（５０２）はプラットホームに接地している状態である。
【００７３】
電車の到着が近付くと、プラットホーム（Ｐ）に到着する電車の乗降口である乗降ドア位置及び大きさに応じてドアパネルが選択され、実施例１と同様に、当該選択されたドアパネルの対応位置に選択されたトロッコが移動するとともに、当該選択されたドアパネルに対応するドアパネルスライド板（３０３）が選択され、プラットホーム側（Ｐ）にスライド移動し、電磁石をオンにし、前記ドアパネル内装棒（３０２）が電磁力により吸着され上昇する。
【００７４】
前記ドアパネル内装棒（３０２）が上昇することにより、前記ドアパネル内装棒（３０２）と貫通結合した水平押さえ板（５０３）が、ドアパネル内装バネ（５０４）を圧縮しながら従動して上昇する。
【００７５】
前記水平押さえ板（５０３）が上昇することにより、前記水平押さえ板（５０３）と上部で結合している前記ドアパネルロック棒（６０１）も従動して上昇する。
【００７６】
前記ドアパネルロック棒（６０１）が上昇することにより、ドアパネルロック孔（１０２ｈ）から外れ当該ドアパネル（２０１）のロックが解除される。
【００７７】
なお、前記ドアパネル内装棒（３０２）が上昇することにより、前記ドアパネル内装棒（３０２）の最下部と固着したゴム板（５０２）も従動して上昇し、前記ゴム板（５０２）がプラットホーム（Ｐ）から離れる。
【００７８】
その後の動作については、実施例１と略同様であるので省略する。
【産業上の利用可能性】
【００７９】
本願発明の転落防止設備は、乗降口位置が変わることに対して柔軟に対応可能であるとともに、可能な限り簡易構造を採用することで設置に要する初期費用を低く抑える事ができる優れた転落防止設備であるので産業上の利用可能性を有する。
【符号の説明】
【００８０】
１        転落防止設備
１０      ドアパネル支持体（遮蔽体支持体）
１０１    側面板
１０２    底面板
１０２ｈ  ドアパネルロック孔
１０３    上面板
２０      ドアパネル群
２０１    ドアパネル（遮蔽体）
２０１Ａ  ドアパネルＡ
２０１Ｂ  ドアパネルＢ
２０１Ｃ  ドアパネルＣ
２０１Ｄ  ドアパネルＤ
２０１Ｅ  ドアパネルＥ
２０１Ｆ  ドアパネルＦ
２０１Ｇ  ドアパネルＧ
２０１Ｈ  ドアパネルＨ
３０      ドアパネルスライド移動機構（遮蔽体短手方向移動機構）
３０１    ドアパネルスライド車輪（遮蔽体滑動部）
３０２    ドアパネル内装棒（遮蔽体内装棒体）
３０３    ドアパネルスライド板（遮蔽体誘導体）
４０      トロッコスライド移動機構（遮蔽体長手方向移動機構）
４０１    トロッコレール支持体（遮蔽体載置台車支持体）
４０２    トロッコレール
４０３    トロッコ（遮蔽体載置台車）
４０３Ａ  トロッコＡ
４０３Ｂ  トロッコＢ
４０３１  垂直仕切り板
４０３２  側面板
４０３３  底面板
４０３４  上面板
４０３５  正面板
４０３６  水平仕切り板
４０４    駆動モータ
４０５    トロッコ移動車輪
４０６    トロッコ結合体
５０      ドアパネル揺れ動き防止機構（遮蔽体揺れ動き防止機構）
５０１    風通し板
５０１ｈ  風通し孔
５０２    ゴム板
５０３    水平押さえ板
５０４    ドアパネル内装バネ
６０      ドアパネル施錠機構（遮蔽体施錠機構）
６０１    ドアパネルロック棒
Ｍ        柱
Ｏ        梁
Ｐ        プラットホーム、プラットホーム側
Ｑ        線路側
【図１】
2013220695.tif 000003
【図２】
2013220695.tif 000004
【図３】
2013220695.tif 000005
【図４】
2013220695.tif 000006
【図５】
2013220695.tif 000007
【図６】
2013220695.tif 000008
【図７】
2013220695.tif 000009
【図８】
2013220695.tif 000010
【図９】
2013220695.tif 000011
【図１０】
2013220695.tif 000012
【図１１】
2013220695.tif 000013